(57)【要約】      （修正有）【課題】指輪を確実に立たせて一定の角度で陳列することができ、指輪を不必要に簡単に取り外せず、指輪および、例えば、ブランド名などを記載したタグの交換を容易に行うことのできる指輪スタンドを提供する。【解決手段】台部１１の上に押さえ部２１を載置した指輪スタンドであって、押さえ部２１に指輪を立てた状態で収容する指輪起立溝３１を設け、台部１１および押さえ部の指輪起立溝３１の前側と後側との対応個所にそれぞれ磁石１６Ｆ，１６Ｒ，２６Ｆ，２６Ｒを埋め込む。【選択図】図２
0003107285.tif 000002
【実用新案登録請求の範囲】
【請求項１】
台部の上に押さえ部を載置した指輪スタンドであって、
前記台部の上部にのみ、または、前記押さえ部の下部にのみ、または、前記台部と前記押さえ部とに跨らせて、指輪を立てた状態で収容する指輪起立溝を設け、
前記台部および前記押さえ部の前記指輪起立溝の前側と後側との対応個所の少なくとも一方にそれぞれ磁石を埋め込んだ、
ことを特徴とする指輪スタンド。
【請求項２】
台部の上に押さえ部を載置した指輪スタンドであって、
前記台部を磁性体で構成し、
前記台部の上部にのみ、または、前記押さえ部の下部にのみ、または、前記台部と前記押さえ部とに跨らせて、指輪を立てた状態で収容する指輪起立溝を設け、
前記押さえ部の前記指輪起立溝の前側と後側との少なくとも一方に磁石を埋め込んだ、
ことを特徴とする指輪スタンド。
【請求項３】
請求項１または請求項２に記載の指輪スタンドにおいて、
前記押さえ部を透明または半透明の合成樹脂で成形した、
ことを特徴とする指輪スタンド。
【請求項４】
請求項３に記載の指輪スタンドにおいて、
前記押さえ部の前側上部を、前端から後側へ上昇する傾斜面とした、
ことを特徴とする指輪スタンド。
【請求項５】
請求項１から請求項４のいずれか１項に記載の指輪スタンドにおいて、
前記指輪の上側が前記指輪の下側よりも前側に位置するように、前記指輪起立溝を傾斜させた、
ことを特徴とする指輪スタンド。
【考案の詳細な説明】
【技術分野】
【０００１】
この考案は、デパートの貴金属売り場、貴金属専門店などで指輪を陳列するのに使用する指輪スタンドに関するものである。
【背景技術】
【０００２】
従来から指輪を陳列するため、ケースに指輪嵌合溝を設け、その指輪嵌合溝へ指輪を差し込んで固定する指輪スタンドが提案され、利用されている。
【特許文献１】登録実用新案第３０３２１６２号公報
【考案の開示】
【考案が解決しようとする課題】
【０００３】
従来の上記した指輪スタンドは、指輪を陳列している状態で、指輪を指輪嵌合溝から簡単に抜き出すことができ、不都合な場合がある。
また、指輪嵌合溝への指輪の挿脱を繰り返すうちに、指輪嵌合溝の押さえ力が緩んでくるという問題がある。
【０００４】
この考案は、上記したような不都合を解消するためになされたもので、指輪を確実に立たせて一定の角度で陳列することができ、指輪を不必要に簡単に取り外せず、指輪および、例えば、ブランド名などを記載したタグの交換を容易に行うことのできる指輪スタンドを提供するものである。
【課題を解決するための手段】
【０００５】
この考案は、以下のような考案である。
（１）台部の上に押さえ部を載置した指輪スタンドであって、前記台部の上部にのみ、または、前記押さえ部の下部にのみ、または、前記台部と前記押さえ部とに跨らせて、指輪を立てた状態で収容する指輪起立溝を設け、前記台部および前記押さえ部の前記指輪起立溝の前側と後側との対応個所の少なくとも一方にそれぞれ磁石を埋め込んだことを特徴とする。
（２）台部の上に押さえ部を載置した指輪スタンドであって、前記台部を磁性体で構成し、前記台部の上部にのみ、または、前記押さえ部の下部にのみ、または、前記台部と前記押さえ部とに跨らせて、指輪を立てた状態で収容する指輪起立溝を設け、前記押さえ部の前記指輪起立溝の前側と後側との少なくとも一方に磁石を埋め込んだことを特徴とする。
（３）（１）または（２）に記載の指輪スタンドにおいて、前記押さえ部を透明または半透明の合成樹脂で成形したことを特徴とする。
（４）（３）に記載の指輪スタンドにおいて、前記押さえ部の前側上部を、前端から後側へ上昇する傾斜面としたことを特徴とする。
（５）（１）から（４）のいずれか１つに記載の指輪スタンドにおいて、前記指輪の上側が前記指輪の下側よりも前側に位置するように、前記指輪起立溝を傾斜させたことを特徴とする。
【考案の効果】
【０００６】
この考案によれば、台部の上部にのみ、または、押さえ部の下部にのみ、または、台部と押さえ部とに跨らせて、指輪を立てた状態で収容する指輪起立溝を設けたので、指輪を確実に立たせて一定の角度で陳列することができる。
そして、押さえ部を磁石の磁力によって台部に固定する構成としたので、押さえ部を台部から磁力に抗して分離させなければ、指輪を取り外すことができなくなり、指輪を不必要に簡単に取り外せなくなる。
また、押さえ部を磁石の磁力によって台部に固定する構成としたので、押さえ部を台部から磁力に抗して分離させることにより、指輪の交換を容易に行うことができるとともに、指輪スタンドを傾斜させるなど陳列において色々とアレンジすることができる。
さらに、例えば、ブランド名などを記載したタグを台部と押さえ部との前方部分の間に挟持させることができるので、タグの交換を容易に行うことができる。
そして、押さえ部を透明または半透明の合成樹脂で成形したので、例えば、ブランド名などを記載したタグを台部と押さえ部との間に収容させて顧客に視認させることができる。
さらに、押さえ部の前側上部を、前端から後側へ上昇する傾斜面としたので、この傾斜面を、例えば、ブランド名などプリントする面として使用することができるとともに、デザイン性を向上させることができる。
さらに、指輪の上側が指輪の下側よりも前側に位置するように、指輪起立溝を傾斜させたので、指輪スタンドを傾斜させることなく、指輪の外周面に施したデザインを見易い状態にして指輪を陳列することができる。
【考案を実施するための最良の形態】
【０００７】
以下、この考案の実施例を図に基づいて説明する。
【０００８】
図１はこの考案の第１実施例である指輪スタンドに指輪を装着した状態の斜視図、図２は図１に示した指輪スタンドのＡ−Ａ線による断面図、図３は図１に示した指輪スタンドのＢ−Ｂ線による断面図、図４および図５は図１に示した指輪スタンドの別の使用態様を示す説明図である。
なお、値札タグ、この値札タグを指輪にぶら提げるぶら提げ糸の図示は、省略されている。
そして、以後の各実施例においても、値札タグおよびぶら提げ糸の図示は、省略されている。
【０００９】
これらの図において、Ｓは指輪スタンドを示し、非磁性体、例えば、合成樹脂、木などで直方体に形成された台部１１と、この台部１１の上側前後に埋め込まれた磁石１６Ｆ，１６Ｒと、非磁性体、例えば、透明または半透明の合成樹脂で台部１１と同じ直方体に形成され、台部１１の上に載置される押さえ部２１と、この押さえ部２１の下側前後に、台部１１の磁石１６Ｆ，１６Ｒに対応させて埋め込まれた磁石２６Ｆ，２６Ｒとで構成されている。
３１は指輪Ｒを立てた状態で収容する指輪起立溝を示し、この実施例では、図２および図３に示すように、押さえ部２１の磁石２６Ｆ，２６Ｒの間の部分に、下側へ開放させて設けられている。
なお、指輪起立溝３の幅（図２における左右方向）は、指輪Ｒの高さよりも僅かに広くされている。
また、指輪起立溝３１の最も浅い部分の深さ（図３における上下方向）は、指輪Ｒの厚さよりも僅かに深くされている。
Ｔはタグを示す。
【００１０】
次に、指輪スタンドＳを使用した指輪Ｒの陳列について説明する。
まず、押さえ部２１を指輪Ｒの中へ挿入し、指輪Ｒの下側部分を指輪起立溝３１内へ挿入する。
そして、指輪Ｒの下側部分を指輪起立溝３１内へ挿入した状態で、押さえ部２１を台部１１の上に重ね、磁石１６Ｆに磁石２６Ｆを吸着させるとともに、磁石１６Ｒに磁石２６Ｒを吸着させることにより、図１に示すように、指輪Ｒを指輪スタンドＳに指輪起立溝３１で起立させた状態に取り付けることができる。
したがって、指輪Ｒを指輪スタンドＳに起立させた状態で、指輪Ｒを所望の位置に陳列させることができる。
【００１１】
このようにして指輪Ｒを陳列する場合、磁石１６Ｆ，１６Ｒ，２６Ｆ，２６Ｒの磁力を利用して、図４に示すように、台部１１と押さえ部２１との前方部分の間に、例えば、ブランド名などを記載（またはプリント）したタグＴの一部を挿入して挟持させると、押さえ部２１が透明はたは半透明でなくとも、指輪ＲとタグＴとを一対一に対応させて表示、視認させることができる。
また、指輪Ｒを陳列する場合、磁石１６Ｆ，１６Ｒ，２６Ｆ，２６Ｒの磁力を利用して、図５に示すように、台部１１と押さえ部２１との間にタグＴ全体を挿入して挟持させると、押さえ部２１が透明はたは半透明とされているので、指輪ＲとタグＴとを一対一に対応させて表示、視認させることができる。
【００１２】
上述したように、この考案の第１実施例によれば、押さえ部２１の下部に指輪Ｒを立てた状態で収容する指輪起立溝３１を設けたので、指輪Ｒを確実に立たせて一定の角度で陳列することができる。
そして、押さえ部２１を磁石１６Ｆ，１６Ｒ，２６Ｆ，２６Ｒの磁力によって台部１１に固定する構成としたので、押さえ部２１を台部１１から磁力に抗して分離させなければ、指輪Ｒを取り外すことができなくなり、指輪Ｒを不必要に簡単に取り外せなくなる。
また、押さえ部２１を磁石１６Ｆ，１６Ｒ，２６Ｆ，２６Ｒの磁力によって台部１１に固定する構成としたので、押さえ部２１を台部１１から磁力に抗して分離させることにより、指輪Ｒの交換を容易に行うことができるとともに、指輪スタンドＳを傾斜させるなど陳列において色々とアレンジすることができる。
さらに、タグＴを台部１１と押さえ部２１との前方部分の間に挟持させることができるので、タグＴの交換を容易に行うことができる。
そして、押さえ部２１を透明または半透明の合成樹脂で成形したので、タグＴを台部１１と押さえ部２１との間に収容させて顧客に視認させることができる。
【００１３】
図６はこの考案の第２実施例である指輪スタンドに指輪を装着した状態の斜視図であり、図１〜図５と同一または相当部分に同一符号を付し、その説明を省略する。
【００１４】
図６において、２１ｆは前側傾斜面を示し、押さえ部２１の前側上部に、前端から後側へ上昇させて設けられている。
なお、この第２実施例の指輪スタンドＳにおける他の部分は、第１実施例の指輪スタンドＳと同様に構成されている。
【００１５】
この第２実施例の指輪スタンドＳを使用した指輪Ｒの陳列についての説明は、第１実施例の指輪スタンドＳと同様になるので、その説明を省略する。
【００１６】
この第２実施例の指輪スタンドＳにおいても、第１実施例の指輪スタンドＳと同様な効果を得ることができる。
そして、押さえ部２１の前側上部を、前端から後側へ上昇する前側傾斜面２１ｆとしたので、この前側傾斜面２１ｆを、例えば、ブランド名などプリントする面として使用することができるとともに、デザイン性を向上させることができる。
【００１７】
図７はこの考案の第３実施例である指輪スタンドに指輪を装着した状態の斜視図であり、図１〜図６と同一または相当部分に同一符号を付し、その説明を省略する。
【００１８】
図７において、２１ｒは後側傾斜面を示し、押さえ部２１の後側上部に、後端から前側へ上昇させて設けられている。
なお、この第３実施例の指輪スタンドＳにおける他の部分は、第２実施例の指輪スタンドＳと同様に構成されている。
【００１９】
この第３実施例の指輪スタンドＳを使用した指輪Ｒの陳列についての説明は、第１実施例の指輪スタンドＳと同様になるので、その説明を省略する。
【００２０】
この第３実施例の指輪スタンドＳにおいても、第２実施例の指輪スタンドＳと同様な効果を得ることができる。
そして、押さえ部２１の前後上部に前側傾斜面２１ｆ、後側傾斜面２１ｒを設けたので、タグＴを収容させた方を前方として指輪Ｒを陳列することができ、すなわち、指輪スタンドＳの前後の方向性をなくしたことにより、指輪Ｒの陳列をさらに容易に行うことができる。
【００２１】
図８はこの考案の第４実施例である指輪スタンドの、図１のＡ−Ａ線に相当する断面図であり、図１〜図７と同一または相当部分に同一符号を付し、その説明を省略する。
【００２２】
図８において、指輪起立溝３１は、指輪Ｒの上側が指輪Ｒの下側よりも前側に位置するように傾斜させて押さえ部２１に設けられている。
なお、この第２実施例の指輪スタンドＳにおける他の部分は、第１実施例の指輪スタンドＳと同様に構成されている。
【００２３】
この第４実施例の指輪スタンドＳを使用した指輪Ｒの陳列についての説明は、第１実施例の指輪スタンドＳと同様になるので、その説明を省略する。
【００２４】
この第４実施例の指輪スタンドＳにおいても、第１実施例の指輪スタンドＳと同様な効果を得ることができる。
そして、指輪Ｒの上側が指輪Ｒの下側よりも前側に位置するように、指輪起立溝３１を傾斜させたので、指輪スタンドＳを傾斜させることなく、指輪Ｒの外周面に施したデザインを見易い状態にして指輪Ｒを陳列することができる。
【００２５】
図９はこの考案の第５実施例である指輪スタンドの、図１のＢ−Ｂ線に相当する断面図であり、図１〜図８と同一または相当部分に同一符号を付し、その説明を省略する。
【００２６】
この第５実施例における指輪起立溝３１は、台部１１の磁石（１６Ｆ，１６Ｒ）の間の部分に、上側へ開放させて設けられている。
なお、この第５実施例の指輪スタンドＳにおける他の部分は、第１実施例の指輪スタンドＳと同様に構成されている。
【００２７】
この第５実施例の指輪スタンドＳを使用した指輪Ｒの陳列についての説明は、第１実施例の指輪スタンドＳと同様になるので、その説明を省略する。
【００２８】
この第５実施例の指輪スタンドＳにおいても、第１実施例の指輪スタンドＳと同様な効果を得ることができる。
【００２９】
図１０はこの考案の第６実施例である指輪スタンドの、図１のＢ−Ｂ線に相当する断面図であり、図１〜図９と同一または相当部分に同一符号を付し、その説明を省略する。
【００３０】
この第６実施例における指輪起立溝３１は、台部１１と押さえ部２１との磁石（１６Ｆ，１６Ｒ，２６Ｆ，２６Ｒ）の間の部分に、台部１１と押さえ部２１とに跨らせて設けられている。
なお、この第６実施例の指輪スタンドＳにおける他の部分は、第１実施例の指輪スタンドＳと同様に構成されている。
【００３１】
この第６実施例の指輪スタンドＳを使用した指輪Ｒの陳列についての説明は、第１実施例の指輪スタンドＳと同様になるので、その説明を省略する。
【００３２】
この第６実施例の指輪スタンドＳにおいても、第１実施例の指輪スタンドＳと同様な効果を得ることができる。
【００３３】
上記した実施例では、台部１１を合成樹脂または木とし、押さえ部２１を透明または反透明の合成樹脂とした例を示したが、台部１１および押さえ部２１を他の材質にしても、所期の効果を得ることができる。
また、台部１１および押さえ部２１の前後にそれぞれ磁石１６Ｆ，１６Ｒ，２Ｆ，２６Ｒを埋め込んだ例を示したが、磁石は台部１１および押さえ部２１の前後の一方に対応させて埋め込んでも、同様に機能させることができる。
さらに、台部１１を磁性体で構成することにより、台部１１に埋め込む磁石を省略することができる。
【００３４】
次に、第４実施例において、押さえ部２１の前側上部に前側傾斜面２１ｆを設けたり、さらに、押さえ部２１の後側上部に後側傾斜面２１ｒを設けてもよい。
また、第５実施例および第６実施例において、押さえ部２１の前側上部に前側傾斜面２１ｆを設けたり、押さえ部２１の後側上部に後側傾斜面２１ｒを設けたり、さらに、指輪起立溝３１を前側に傾斜させてもよい。
【図面の簡単な説明】
【００３５】
【図１】この考案の第１実施例である指輪スタンドに指輪を装着した状態の斜視図である。
【図２】図１に示した指輪スタンドのＡ−Ａ線による断面図である。
【図３】図１に示した指輪スタンドのＢ−Ｂ線による断面図である。
【図４】図１に示した指輪スタンドの別の使用態様を示す説明図である。
【図５】図１に示した指輪スタンドのさらに別の使用態様を示す説明図である。
【図６】この考案の第２実施例である指輪スタンドに指輪を装着した状態の斜視図である。
【図７】この考案の第３実施例である指輪スタンドに指輪を装着した状態の斜視図である。
【図８】この考案の第４実施例である指輪スタンドの、図１のＡ−Ａ線に相当する断面図である。
【図９】この考案の第５実施例である指輪スタンドの、図１のＢ−Ｂ線に相当する断面図である。
【図１０】この考案の第６実施例である指輪スタンドの、図１のＢ−Ｂ線に相当する断面図である。
【符号の説明】
【００３６】
Ｓ      指輪スタンド
１１    台部
１６Ｆ  磁石
１６Ｒ  磁石
２１    押さえ部
２１ｆ  前側傾斜面
２１ｒ  後側傾斜面
２６Ｆ  磁石
２６Ｒ  磁石
３１    指輪起立溝
Ｒ      指輪
Ｔ      タグ
【図１】
0003107285.tif 000003
【図２】
0003107285.tif 000004
【図３】
0003107285.tif 000005
【図４】
0003107285.tif 000006
【図５】
0003107285.tif 000007
【図６】
0003107285.tif 000008
【図７】
0003107285.tif 000009
【図８】
0003107285.tif 000010
【図９】
0003107285.tif 000011
【図１０】
0003107285.tif 000012